(57)【要約】【課題】先に本発明者が開発したイソチオシアン酸エステル若しくはモノテルペン化合物のカプセル粒子を塗布または含有したシートの新規な用途の展開である。特に、人尿、人糞を含むおむつ、おしめ又は女性の使用済み生理用品の廃棄に際しての悪臭をたつための手段の提供である。【解決手段】イソチオシアン酸エステル若しくはモノテルペン化合物と水溶性フィルム形成剤を含んでなり、水溶性フィルム形成剤で吸湿性のカプセル粒子を構成してイソチオシアン酸エステル若しくはモノテルペン化合物を内包させたカプセル粒子からなる湿度依存型粉末組成物を塗布または含有してなるシートをおむつ、おしめ又は女性の使用済み生理用品の廃棄用袋に装填する、又はイソチオシアン酸エステル若しくはモノテルペン化合物と水溶性フィルム形成剤を含んでなり、水溶性フィルム形成剤で吸湿性のカプセル粒子を構成してイソチオシアン酸エステル若しくはモノテルペン化合物を内包させたカプセル粒子からなる湿度依存型粉末組成物を塗布または含有してなる袋におむつ、おしめ又は女性の使用済み生理用品を封入することを特徴とする脱臭剤【特許請求の範囲】
【請求項１】
イソチオシアン酸エステル若しくはモノテルペン化合物と水溶性フィルム形成剤を含んでなり、水溶性フィルム形成剤で吸湿性のカプセル粒子を構成してイソチオシアン酸エステル若しくはモノテルペン化合物を内包させたカプセル粒子からなる湿度依存型粉末組成物を塗布または含有してなるシートをおむつ、おしめ又は女性の使用済み生理用品の廃棄用袋に装填する、又はイソチオシアン酸エステル若しくはモノテルペン化合物と水溶性フィルム形成剤を含んでなり、水溶性フィルム形成剤で吸湿性のカプセル粒子を構成してイソチオシアン酸エステル若しくはモノテルペン化合物を内包させたカプセル粒子からなる湿度依存型粉末組成物を塗布または含有してなる袋におむつ、おしめ又は女性の使用済み生理用品を封入することを特徴とする脱臭剤。
【請求項２】
前記湿度依存型粉末組成物と合成樹脂を均一に混合成形した物である請求項１の脱臭剤。
【請求項３】
カプセル粒子が少なくともイソチオシアン酸エステル若しくはモノテルペン化合物と水溶性フィルム形成剤を含んだ乳化液を噴霧乾燥して得られたものであることを特徴とする請求項１又は２記載の脱臭剤。
【請求項４】
カプセル粒子の平均粒径が２〜１５０μｍであることを特徴とする請求項１〜３のいずれか一に記載の脱臭剤。
【請求項５】
イソチオシアン酸エステル若しくはモノテルペン化合物がイソチオシアン酸エステルであることを特徴とする請求項１〜４のいずれか一に記載の脱臭剤。
【請求項６】
イソチオシアン酸エステル若しくはモノテルペン化合物が食用油脂に溶解されていることを特徴とする請求項１〜５のいずれか一に記載の脱臭剤。
【請求項７】
水溶性フィルム形成剤がアラビアガム、ゼラチン、ヘミセルロース、微生物産生多糖類、改質デンプンからなる群から選択される少なくとも１種であることを特徴とする請求項１〜６のいずれか一に記載の脱臭剤。
【請求項８】
水溶性フィルム形成剤がアラビアガムおよび／または改質デンプンであることを特徴とする請求項１〜７のいずれか一に記載の脱臭剤。
【請求項９】
水溶性フィルム形成剤が乳化作用を有する物質であることを特徴とする請求項１〜８のいずれか一に記載の脱臭剤。
【請求項１０】
湿度依存型粉末組成物が、湿度が７５％におけるイソチオシアン酸エステル若しくはモノテルペン化合物の放出率に対する湿度が１００％におけるイソチオシアン酸エステル若しくはモノテルペン化合物の放出率が１．５倍以上の放出挙動を示すものであることを特徴とする請求項１〜９のいずれか一に記載の脱臭剤。
【請求項１１】
湿度依存型粉末組成物に含まれるイソチオシアン酸エステル若しくはモノテルペン化合物の割合が１１〜２０重量％であることを特徴とする請求項１〜１０のいずれか一に記載の脱臭剤。
【発明の詳細な説明】
【技術分野】
【０００１】
本発明は、脱臭剤に関し、特に、イソチオシアン酸エステル若しくはモノテルペン化合物と水溶性フィルム形成剤を含んでなり、水溶性フィルム形成剤で吸湿性のカプセル粒子を構成してイソチオシアン酸エステル若しくはモノテルペン化合物を内包させたカプセル粒子からなる湿度依存型粉末組成物を塗布または含有してなるシートの新規な用途に関する。
【背景技術】
【０００２】
近年、使い捨ておむつは、乳児用に又高齢者用に益々その需要は増大している。使い捨ておむつは、使用後、ポリ袋等にいれ、一般ごみと共に廃棄されることがおおいが、大量処理においてはその悪臭が極めておおきな問題となっている。この問題に対処するために多くの脱臭剤が提案されている。しかし、それは単なる匂いけしにすぎない場合が殆どで、衛生管理上も問題が残されている。
特に、人尿、人糞の匂いは、単なる匂い消し、かおり剤では、対処しきれないものであった。
同様に、女性の使用済み生理用品の廃棄においても、その悪臭はその廃棄時におおきな問題となっている。
【０００３】
本発明者は、先に、イソチオシアン酸エステル若しくはモノテルペン化合物がイソチオシアン酸エステルであるカプセル粒子の開発に成功し、その持続的な抗菌力を生かして、食品等の防菌防黴シートの提供に成功している。
【先行技術文献】
【特許文献】
【０００４】
【特許文献１】特開2011-87585号公報
【特許文献２】特開2011-30576公報
【発明の概要】
【発明が解決しようとする課題】
【０００５】
本発明は、先に本発明者が開発したイソチオシアン酸エステル若しくはモノテルペン化合物のカプセル粒子を塗布または含有したシートの新規な用途の展開である。特に、人尿、人糞を含むオムツの廃棄及び女性の使用済み生理用品の廃棄に際しての悪臭をたつための手段の提供である。
【課題を解決するための手段】
【０００６】
上記の点に鑑みてなされた本発明の脱臭剤は、以下からなる；
１）イソチオシアン酸エステル若しくはモノテルペン化合物と水溶性フィルム形成剤を含んでなり、水溶性フィルム形成剤で吸湿性のカプセル粒子を構成してイソチオシアン酸エステル若しくはモノテルペン化合物を内包させたカプセル粒子からなる湿度依存型粉末組成物を塗布または含有してなるシートをおむつ、おしめ又は女性の使用済み生理用品の廃棄用袋に装填する、又はイソチオシアン酸エステル若しくはモノテルペン化合物と水溶性フィルム形成剤を含んでなり、水溶性フィルム形成剤で吸湿性のカプセル粒子を構成してイソチオシアン酸エステル若しくはモノテルペン化合物を内包させたカプセル粒子からなる湿度依存型粉末組成物を塗布または含有してなる袋におむつ、おしめ又は女性の使用済み生理用品を封入することを特徴とする脱臭剤。
２）前記湿度依存型粉末組成物と合成樹脂を均一に混合成形したものである前項１の脱臭剤。
３）前項１又は２記載の混合物において、カプセル粒子が少なくともイソチオシアン酸エステル若しくはモノテルペン化合物と水溶性フィルム形成剤を含んだ乳化液を噴霧乾燥して得られたものであることを特徴とする。
４）また、前項１〜３のいずれか一に記載の混合物において、カプセル粒子の平均粒径が２〜１５０μｍであることを特徴とする。
５）また、前項１〜４のいずれかに記載の混合物において、イソチオシアン酸エステル若しくはモノテルペン化合物がイソチオシアン酸エステルであることを特徴とする。
６）また、前項１〜５のいずれかに記載の混合物において、イソチオシアン酸エステル若しくはモノテルペン化合物が食用油脂に溶解されていることを特徴とする。
７）また、前項１〜６のいずれかに記載の混合物において、水溶性フィルム形成剤がアラビアガム、ゼラチン、ヘミセルロース、微生物産生多糖類、改質デンプンからなる群から選択される少なくとも１種であることを特徴とする。
８）また、前項１〜７のいずれかに記載の混合物において、水溶性フィルム形成剤がアラビアガムおよび／または改質デンプンであることを特徴とする。
９）また、前項１〜８のいずれかに記載の混合物において、水溶性フィルム形成剤が乳化作用を有する物質であることを特徴とする。
１０）また、前項１〜９のいずれかに記載の混合物において、湿度依存型粉末組成物が、湿度が７５％におけるイソチオシアン酸エステル若しくはモノテルペン化合物の放出率に対する湿度が１００％におけるイソチオシアン酸エステル若しくはモノテルペン化合物の放出率が１．５倍以上の放出挙動を示すものであることを特徴とする。
１１）また、前項１〜１０のいずれかに記載の混合物において、湿度依存型粉末組成物に含まれるイソチオシアン酸エステル若しくはモノテルペン化合物の割合が１１〜２０重量％であることを特徴とする。
【発明の効果】
【０００７】
本発明の脱臭剤は、湿度依存型粉末組成物に含まれるイソチオシアン酸エステル若しくはモノテルペン化合物をシートに塗布されて調製されてなるものであり、要時該シートをおむつ、おしめ又は女性の使用済み生理用品等が封入された袋に装填してなるもの、又は湿度依存型粉末組成物に含まれるイソチオシアン酸エステル若しくはモノテルペン化合物を袋状物に塗布されて調製されてなるものであり、要時該袋状物におむつ、おしめ又は女性の使用済み生理用品等を封入してなるものであるから、使用が簡便で、必要なときに素早く利用できる便宜性をもち、そのうえ、糞尿又は血液の腐臭をもとから断つという格別の効果を発揮した。
【発明を実施するための形態】
【０００８】
本発明の湿度依存型粉末組成物は、公知であり、以下特開2011-87585号公報から適宜引用して説明した。本発明の湿度依存型粉末組成物は、イソチオシアン酸エステル若しくはモノテルペン化合物と水溶性フィルム形成剤を含んでなり、湿度に依存して前記イソチオシアン酸エステル若しくはモノテルペン化合物の放出挙動が変化するものであり、イソチオシアン酸エステル若しくはモノテルペン化合物を高い割合で含ませることができる。また、本発明の湿度依存型粉末組成物は、湿度が６０％程度の雰囲気下ではイソチオシアン酸エステル若しくはモノテルペン化合物をほとんど放出しないが、カビの発育が可能になる７０％以上の雰囲気下になるとイソチオシアン酸エステル若しくはモノテルペン化合物を放出する。
【０００９】
本発明の湿度依存型粉末組成物におけるイソチオシアン酸エステル若しくはモノテルペン化合物とは、常温において揮発性を有する油状物質を意味し、例えば、カラシやワサビの辛味成分であるイソチオシアン酸エステルや、天然植物などに豊富に含まれるモノテルペン化合物などがこれに該当する。これらは植物の抽出物などから得られる天然品であって、人体に対する安全性が高いものである。とりわけ、イソチオシアン酸エステルは優れた抗菌作用を発揮することから衛生上において好適に用いられる。なお、イソチオシアン酸エステル若しくはモノテルペン化合物は天然品に限定されるものではなく、自体公知の方法によって合成された合成品であってもよい。
【００１０】
イソチオシアン酸エステルの具体例としては、イソチオシアン酸アリル、イソチオシアン酸フェニル、イソチオシアン酸メチル、イソチオシアン酸エチル、イソチオシアン酸プロピル、イソチオシアン酸イソプロピル、イソチオシアン酸ブチル、イソチオシアン酸イソブチル、イソチオシアン酸イソアミル、イソチオシアン酸ベンジル、イソチオシアン酸シクロヘキシルなどが挙げられる。
【００１１】
モノテルペン化合物としては、テルペン炭化水素、テルペンアルコール、テルペンアルデヒド、テルペンケトン、テルペンオキシドなどが挙げられる。
【００１２】
本発明の湿度依存型粉末組成物における水溶性フィルム形成剤とは、その水溶液を乾燥したときにフィルムを形成する性質を有するものを意味する。水溶性フィルム形成剤は、イソチオシアン酸エステル若しくはモノテルペン化合物を内包する吸湿性のカプセル粒子の当該カプセル粒子を構成し、一定の湿度以上の雰囲気下で当該物質を放出しうるものであればどのようなものであってもよく、具体的には、アラビアガム、ゼラチン、ヘミセルロース、微生物産生多糖類、改質デンプンなどが挙げられる。これらは単独で用いてもよいし、複数種類を混合して用いてもよい。
【００１３】
本発明の湿度依存型粉末組成物は、例えば、水溶性フィルム形成剤と必要に応じて粉末賦形剤を水中に溶解および／または分散させた後、ここにイソチオシアン酸エステル若しくはモノテルペン化合物と必要に応じて乳化剤を添加し、乳化処理することで得られた乳化液を噴霧乾燥して粉末化することにより製造することができる。
【００１４】
粉末賦形剤は、アラビアガムなどのような湿度が７０％程度の雰囲気下でも吸湿性を有する物質を水溶性フィルム形成剤として用いる場合、粉末組成物中において、水溶性フィルム形成剤で構成されるカプセル粒子を互いに凝集させることなく分散させた状態で保持することで、イソチオシアン酸エステル若しくはモノテルペン化合物の放出安定性を確保するために有効に機能する。粉末賦形剤の具体例としては、デンプン、デンプン分解物、デキストリン、ブドウ糖などの単糖類、乳糖などの二糖類などが挙げられる。これらは単独で用いてもよいし、複数種類を混合して用いてもよい。好適な粉末賦形剤としては、非吸湿性のデンプンやデキストリンなどが挙げられる。
【００１５】
乳化剤は、アラビアガムやカプシュール（CAPSUL：米国Nationalstarch and chemical社製の商品名で日本では日本エヌエスシー社を通じて入手可能な改質デンプン）などのような乳化作用を有する物質以外の物質を水溶性フィルム形成剤として用いて乳化液を調製する場合に有効に機能する。乳化剤の具体例としては、ポリグリセリン脂肪酸エステルやショ糖脂肪酸エステルやソルビタン脂肪酸エステルなどが挙げられる。これらは単独で用いてもよいし、複数種類を混合して用いてもよい。
【００１６】
乳化液を調製するための乳化処理は常法に従って行えばよい。乳化液の噴霧乾燥は、１４０〜１８０℃で行うことが望ましい。１４０℃よりも低温であると水分を十分に蒸発させることができないことで乾燥粉末が得られない恐れがある一方、１８０℃よりも高温であると工程中にイソチオシアン酸エステル若しくはモノテルペン化合物が揮散してしまう恐れがある。
【００１７】
なお、水溶性フィルム形成剤と必要に応じて粉末賦形剤を水中に溶解および／または分散させた後、ここにイソチオシアン酸エステル若しくはモノテルペン化合物と必要に応じて乳化剤を添加する工程は常温で行ってもよいが、常温にて水溶性フィルム形成剤と必要に応じて粉末賦形剤を水中に溶解および／または分散させた後にいったん６０〜８０℃程度にまで加温したり、当初から６０〜８０℃程度にまで加温した状態で水溶性フィルム形成剤と必要に応じて粉末賦形剤を水中に溶解および／または分散させたりすることで、水溶性フィルム形成剤の溶解度を高めたり溶液の加熱殺菌を行ったりした後、室温〜６０℃程度にまで冷却してからイソチオシアン酸エステル若しくはモノテルペン化合物と必要に応じて乳化剤を添加するようにしてもよい。また、イソチオシアン酸エステル若しくはモノテルペン化合物は精製ヤシ油に代表される中鎖脂肪酸などの食用油脂に溶解して添加してもよい。
【００１８】
以上のようにして製造される本発明の湿度依存型粉末組成物は、大部分が平均粒径１〜２００μｍの球状のイソチオシアン酸エステル若しくはモノテルペン化合物を内包する吸湿性のカプセル粒子の集合体からなり、イソチオシアン酸エステル若しくはモノテルペン化合物を高い割合で含んでいることに加え（例えば含まれるイソチオシアン酸エステル若しくはモノテルペン化合物の割合が１１〜２０重量％の組成物）、その放出安定性が確保されたものである。本発明の湿度依存型粉末組成物は、合成樹脂フィルム、不織布、紙、テープなどに塗布や混入などの手法で担持させることでシートとして調製される。本発明の湿度依存型粉末組成物におけるイソチオシアン酸エステル若しくはモノテルペン化合物と水溶性フィルム形成剤の配合割合は、イソチオシアン酸エステル若しくはモノテルペン化合物１重量部に対し、水溶性フィルム形成剤が０．５〜２０重量部であることが望ましく、１〜７重量部であることがより望ましい。また、粉末賦形剤を用いる場合のその配合割合は、イソチオシアン酸エステル若しくはモノテルペン化合物と水溶性フィルム形成剤の合計１重量部に対し、０．５〜１００重量部であることが望ましく、０．７〜２０重量部であることがより望ましい。なお、カプセル粒子の平均粒径は、望ましくは２〜１５０μｍであり、より望ましくは５〜１００μｍであり、さらに望ましくは１１〜５０μｍである。
【００１９】
本発明の脱臭剤は、シートとして、１〜５ｃｍ  Ｘ  ５〜２０ｃｍの方形が好適である。シートは、合成樹脂フィルム或いは合成樹脂フィルムでラミネートされた不織布、紙、布などで形成された袋状物質におむつ、おしめ又は女性の使用済み生理用品をいれ、該袋の中に１〜数枚を所望により装填される。袋は、約１〜数Ｌのものが利用されうる。
【００２０】
本発明の脱臭剤は、袋としても提供でき、袋の内側層にのみ、湿度依存型粉末組成物を担持させることにより調製できる。袋は、合成樹脂フィルム或いは合成樹脂フィルムでラミネートされた不織布、紙、布などで形成された袋状物質であり、その中におむつ、おしめ又は女性の使用済み生理用品を封入する。袋は、約１〜数Ｌのものが利用されうる。
【実施例】
【００２１】
本発明の脱臭剤について実施例により詳細に説明するが、本発明は以下の記載に何ら限定して解釈されるものではない。
【００２２】
実施例１：湿度依存型粉末組成物の製造とその特性
６０℃にて、水１５００ｇに、水溶性フィルム形成剤としてアラビアガム２５０ｇ、粉末賦形剤としてデンプン２５０ｇとデキストリン３００ｇを加えて混合攪拌した。室温にまで冷却した溶液に、イソチオシアン酸エステル若しくはモノテルペン化合物としてイソチオシアン酸アリル２００ｇを添加し、乳化機（ＴＫホモミキサー：特殊機化工業社製）を用いて乳化処理して乳化液を得た。得られた乳化液をスプレードライヤーで噴霧乾燥（乾燥温度１５０℃）し、薄いクリーム色の粉末組成物を得た。この粉末組成物に含まれるイソチオシアン酸アリルの割合は１３．８重量％であった。得られた粉末組成物を顕微鏡で観察したところ、この粉末組成物は大部分が球状のカプセル粒子の集合体からなり、カプセル粒子の平均粒径を測定したところ５０μｍであった。得られた粉末組成物からはイソチオシアン酸アリルの刺激臭はほとんど感じられなかった。湿度約６０％の雰囲気下においてもこの粉末組成物からイソチオシアン酸アリルの刺激臭はほとんど感じられなかったが、湿度約８０％の雰囲気下ではイソチオシアン酸アリルの刺激臭が感じられたことから、この粉末組成物は湿度に依存してイソチオシアン酸アリルを放出することがわかった。
【００２３】
実施例２：
湿度依存型粉末組成物を担持させたおむつ、おしめ又は女性の使用済み生理用品用脱臭剤シートの製造
実施例１において製造した湿度依存型粉末組成物２重量％をアクリル系バインダに均一混合し、得られた混合物を不織布の片面にロールを用いて塗布し、１２０℃に加熱したアイロンで塗布面を押圧乾燥して塗膜中に湿度依存型粉末組成物が均一に分散混入した脱臭シートを製造した。シーとは、３ｃｍ  Ｘ  １０ｃｍの方形シートに切断した。介護施設において、使用済みのオムツを準備し、オムツを市販の１Ｌポリエチレン製袋にいれ、これに上記で用意した脱臭剤シートを１枚装填して臭気を確認した。装填後、短時間でオムツの糞尿の臭気を感じなくなった。また、脱臭剤シートは、２〜３枚装填したものは、より完璧な脱臭が確認できた。同様に、女性の使用済み生理用品を市販の１Ｌポリエチレン製袋にいれ、これに上記で用意した脱臭剤シートを１枚装填して臭気を確認した。装填後、数日間保管後も生理用品の腐臭を感じなかった。また、脱臭剤シートは、２〜３枚装填したものは、より完璧な脱臭が確認できた。
【００２４】
実施例３：
湿度依存型粉末組成物を担持させたポリエチレン製袋の製造
実施例１において製造した湿度依存型粉末組成物２０重量％をポリエチレン樹脂に均一混合してマスターバッチを作製した。このマスターバッチ５重量％をポリエチレン樹脂に均一混合し、得られた混合物をインフレーション加工して湿度依存型粉末組成物が均一に分散混入した厚さ６０μｍのポリエチレン製袋（２０×３０ｃｍ）を製造した。上記のようにして製造したポリエチレン製袋に、介護施設において、使用済みのオムツの１Ｌを封入し、口を閉じ２０℃で保存し、糞尿の臭気を観察した。臭気は２４時間経過後においても、感知されなかった。同様に、ポリエチレン製袋に、使用済みの女性の使用済み生理用品の５枚を封入し、口を閉じ２５℃で保存し、腐臭の臭気を観察した。臭気は２４時間経過後においても、感知されなかった。
【００２５】
湿度依存型粉末組成物を担持させた多層合成樹脂製袋の製造
実施例１において製造した湿度依存型粉末組成物２０重量％をポリエチレン樹脂に均一混合してマスターバッチを作製した。このマスターバッチ５重量％をポリエチレン樹脂に均一混合し、得られた混合物をＴダイで押し出すことでポリエステルフィルムにラミネート加工して多層合成樹脂フィルムを作製した。こうして作製した多層合成樹脂フィルムを用い、内層としての湿度依存型粉末組成物が均一に分散混入した厚さ４０μｍのポリエチレン層と、外層としての厚さ１２μｍのポリエステル層から構成される多層合成樹脂製袋（２０×３０ｃｍ）を製造した。このような、内層としての湿度依存型粉末組成物が均一に分散混入した合成樹脂層と、外層としての湿度依存型粉末組成物を分散混入していない合成樹脂層から構成される多層合成樹脂製袋は、袋内部にだけイソチオシアン酸エステル若しくはモノテルペン化合物が放出されるという放出指向性を有する。
上記のようにして製造した多層合成樹脂製袋に、介護施設において、使用済みのオムツの１Ｌを封入し、口を閉じ２０℃で保存し、糞尿の臭気を観察した。臭気は４８時間経過後においても、感知されなかった。同様に、使用済みの女性の使用済み生理用品の５枚を封入し、口を閉じ２５℃で保存し、腐臭の臭気を観察した。臭気は４８時間経過後においても、感知されなかった。
【００２６】
実施例４：湿度依存型粉末組成物の製造（その２）
６０℃にて、水１５００ｇに、アラビアガム３００ｇとデキストリン４００ｇを加えて混合攪拌した。室温にまで冷却した溶液に、イソチオシアン酸アリル２００ｇを精製ヤシ油１００ｇに溶解した溶液を添加し、実施例１と同様にして、大部分が平均粒径５０μｍの球状のカプセル粒子の集合体からなる白色の粉末組成物を得た。この粉末組成物に含まれるイソチオシアン酸アリルの割合は１５．８重量％であった。
【００２７】
実施例５：湿度依存型粉末組成物の製造（その３）
８０℃にて、水１５００ｇに、カプシュール７００ｇを加えて混合攪拌した。室温にまで冷却した溶液に、イソチオシアン酸アリル１５０ｇを精製ヤシ油１５０ｇに溶解した溶液を添加し、実施例１と同様にして、大部分が平均粒径５０μｍの球状のカプセル粒子の集合体からなる薄い黄色の粉末組成物を得た。この粉末組成物に含まれるイソチオシアン酸アリルの割合は１２．５重量％であった。
【００２８】
実施例６：湿度依存型粉末組成物の製造（その４）
８０℃にて、水１５００ｇに、カプシュール８５０ｇを加えて混合攪拌した。室温にまで冷却した溶液に、イソチオシアン酸アリル１５０ｇを添加し、実施例１と同様にして、大部分が平均粒径３０μｍの球状のカプセル粒子の集合体からなる薄い黄色の粉末組成物を得た。この粉末組成物に含まれるイソチオシアン酸アリルの割合は１３．２重量％であった。
【００２９】
実施例７：湿度依存型粉末組成物の製造（その５）
常温にて、水１５００ｇに、アラビアガム７００ｇを加えて混合攪拌した。次にイソチオシアン酸アリル２００ｇを精製ヤシ油１００ｇに溶解した溶液を添加し、実施例１と同様にして、大部分が平均粒径５０μｍの球状のカプセル粒子の集合体からなる白色の粉末組成物を得た。この粉末組成物に含まれるイソチオシアン酸アリルの割合は１６．４重量％であった。
【００３０】
実施例８：
実施例４〜５で得られた湿度依存型粉末組成物を使い実施例２のシートを調製し、これの１枚〜３枚を介護施設において、使用済みのオムツ１Ｌを封入した袋に装填し、口を閉じ２０℃で保存し、糞尿の臭気を観察した。臭気は感知されなかった。同様に、使用済みの女性の使用済み生理用品の５枚を封入した袋に、シートを１枚装填し、口を閉じ２５℃で保存し、腐臭の臭気を観察した。臭気は２４時間経過後においても、感知されなかった。
【産業上の利用可能性】
【００３１】
本発明によれば、イソチオシアン酸エステル若しくはモノテルペン化合物を高い割合で含んだおむつ、おしめ又は女性の使用済み生理用品用脱臭剤が提供でき、使いやすさに優れた脱臭剤が提供される。